(57)【特許請求の範囲】
【請求項１】
右上がりの所定の傾斜角度の方向に所定間隔で配列された糸、紐その他屈曲自在の第１の線状材と、傾斜角度は第１の線状材と同一で傾斜角度の方向が右下がり方向に所定間隔で配列された糸、紐その他屈曲自在の第２の線状材との交点に立体状のブロックを配置したブロック集合体であって、ブロックは水平方向の横断面が四角形もしくは略正方形で所定高さを有し、かつ高さの中間部でブロック自体の両対角線上にそれぞれ第１の線状材と第２の線状材を挿通し得る貫通孔が形成され、しかも両貫通孔の形成はブロック高さを２分した高さを有する２つの部材の片面側にそれぞれ対角線方向に所定深さの１つの溝を設け、かつ両溝が交錯するように両部材を接合してブロックを構成することにより行なわれると共に両貫通孔にそれぞれの第１と第２の線状材が挿通されることによって両線状材の交点にブロックが位置するようにして隣接する各ブロックはそれぞれの対角同士が接する状態に線状材で縫い連ねてなるブロック集合体。
【請求項２】
横方向に所定間隔で配列された糸、紐その他の屈曲自在の第１の線状材と、縦方向に所定間隔で配列された糸、紐その他の屈曲自在の第２の線状材との交点に立体状のブロックを配置したブロック集合体であって、ブロックは水平方向の横断面が四辺の長さがそれぞれ同一の菱形もしくは略正方形で所定高さを有し、かつ高さの中間部でブロック自体の両対角線上にそれぞれ第１と第２の線状材を挿通し得る貫通孔が形成され、しかも両貫通孔の形成はブロック高さを２分した高さを有する２つの部材の片面側にそれぞれ対角線方向に所定深さの１つの溝を設け、両溝が交錯するように両部材を接合してブロックを構成することにより行なわれると共に両貫通孔にそれぞれの第１と第２の線状材が挿通されることによって両線状材の交点にブロックが位置するようにして隣接する各ブロックはそれぞれの対角同士が接する状態に線状材で縫い連ねてなるブロック集合体。
【請求項３】
請求項１又は２記載のブロック集合体において、糸、紐その他屈曲自在の第１の線状材と第２の線状材に代えて針金その他の剛性を有する線状材を使用し各ブロックの貫通孔に挿通するようにしたブロック集合体。
【請求項４】
請求項１〜３のいずれか１項に記載のブロック集合体において、各ブロックは隣接するブロック間相互に接触する角の部分が少なくとも面取りされ、あるいは丸味をもつようにされたブロック集合体。
【発明の詳細な説明】
【技術分野】
【０００１】
本発明は木その他のブロックの集合体に関するものであり、特に糸や紐等で拡がりを持つように縫ってなるブロック集合体に関するものである。
本発明のブロック集合体は、例えば建具（腰付き障子、ふすま等）や間仕切、衝立、屏風、欄間、椅子等の部分装飾材として、また壁掛け、花瓶敷き、その他の器物の敷物台などとしてインテリアに好適に使用できる。
【背景技術】
【０００２】
従来より木等のブロックに孔を明け、紐等を通して集合した線状の意匠的集合体（例えば玉のれん等）は存在する。しかし、立体的形状のブロックを紐等で一方向に線状に集合させるだけではなく、横方向にも拡がりをもつように紐等で縫い連ねて集合させ同時に意匠的効果を奏するようにした集合体は見当たらない。なお、従来より組木や釘、接着剤等で固定して拡がりを有するようにしたものは存在するが、本願発明とは全く異なるものである。
【０００３】
もっとも、従来より立体的形状のビーズ玉を使用し糸等で面状に編むようにしたビーズ編みが存在するが、これは先ず所定間隔で縦糸を配置し、次ぎに中心部に一つの貫通孔を有する多数（縦糸の間隔箇所と同数）のビーズ玉に横糸を通してから、各ビーズ玉が縦糸の間に位置するように押し当ててから側端の縦糸のところで横糸を折り返し、再度各ビーズ玉の貫通孔に横糸を通すと一段目が完成する。すなわち、各ビーズ玉の貫通孔に挿通された横糸は、側端の縦糸の部分で折り返され再度挿通されるので貫通孔内で二重になっており、縦糸は隣接するビーズ玉間で二重の横糸の間に挟まれた状態になるので、各ビーズ玉はその場所から移動できなくなる。以下これを繰り返せばビーズ編みが完成する。主に身の回り品や手工芸品等の装飾品を作るのに使用される。
【０００４】
この他に筒状の竹ビーズ３本で三角形を構成しながら編み進む三角編みや、糸に通したビーズ玉の列がネット状になるように編み進むネット編み等があるが、いずれもビーズ玉には１つの貫通孔しかなく、また、ビーズ玉の列同士を側方に連ねるときには、両者の接点において１つの貫通孔に糸が二重に通されている。
このようにビーズ編み等は、その編み方や織り方、ビーズ玉の形状、編んだ状態での隙間（空間部）の様子、使用目的等において、本願発明のブロック集合体とは大きく異なっているので、建具や屋内で使用する器物等の装飾部材や意匠的装飾品などを構成する本願発明のブロック集合体を考案する上で何らの示唆を与えるものではない。
【非特許文献１】佐古孝子著「ビーズ編み・織り−おしゃれなアクセサリー＆バッグ」（ＮＨＫ              おしゃれ工房発行）
【発明の開示】
【発明が解決しようとする課題】
【０００５】
解決しようとする課題は、木等の多数のブロックを拡がりをもち、かつしなり得るように連ね合わせたブロック集合体を構成するという点である。従来よりこのようなブロック集合体やこれに類似する物は存在しなかったので、本願発明はこれを解決しようとするものである。
【０００６】
本発明はこのような事情を背景としてなされたものであり、本発明の目的は、紐等で木等のブロックを縫い連ねることにより拡がりを有するように構成されたブロック集合体を提供することである。
【課題を解決するための手段】
【０００７】
上記目的を達成するためになされた本発明は、次のように構成される。
Ａ  右上がりの所定の傾斜角度の方向に所定間隔で配列された糸、紐その他屈曲自在の第１の線状材と、傾斜角度は第１の線状材と同一で傾斜角度の方向が右下がり方向に所定間隔で配列された糸、紐その他屈曲自在の第２の線状材との交点に立体状のブロックを配置したブロック集合体であって、ブロックは水平方向の横断面が四角形もしくは略正方形で所定高さを有し、かつ高さの中間部でブロック自体の両対角線上にそれぞれ第１の線状材と第２の線状材を挿通し得る貫通孔が形成され、しかも両貫通孔の形成はブロック高さを２分した高さを有する２つの部材の片面側にそれぞれ対角線方向に所定深さの１つの溝を設け、かつ両溝が交錯するように両部材を接合してブロックを構成することにより行なわれると共に両貫通孔にそれぞれの第１と第２の線状材が挿通されることによって両線状材の交点にブロックが位置するようにして隣接する各ブロックはそれぞれの対角同士が接する状態に線状材で縫い連ねてなるブロック集合体。
Ｂ  横方向に所定間隔で配列された糸、紐その他の屈曲自在の第１の線状材と、縦方向に所定間隔で配列された糸、紐その他の屈曲自在の第２の線状材との交点に立体状のブロックを配置したブロック集合体であって、ブロックは水平方向の横断面が四辺の長さがそれぞれ同一の菱形もしくは略正方形で所定高さを有し、かつ高さの中間部でブロック自体の両対角線上にそれぞれ第１と第２の線状材を挿通し得る貫通孔が形成され、しかも両貫通孔の形成はブロック高さを２分した高さを有する２つの部材の片面側にそれぞれ対角線方向に所定深さの１つの溝を設け、両溝が交錯するように両部材を接合してブロックを構成することにより行なわれると共に両貫通孔にそれぞれの第１と第２の線状材が挿通されることによって両線状材の交点にブロックが位置するようにして隣接する各ブロックはそれぞれの対角同士が接する状態に線状材で縫い連ねてなるブロック集合体。
Ｃ  Ａ項又はＢ項記載のブロック集合体において、糸、紐その他屈曲自在の第１の線状材と第２の線状材に代えて針金その他の剛性を有する線状材を使用し各ブロックの貫通孔に挿通するようにしたブロック集合体。
Ｄ  Ａ項〜Ｃ項のいずれか１項に記載のブロック集合体において、各ブロックは隣接するブロック間相互に接触する角の部分が少なくとも面取りされ、あるいは丸味をもつようにされたブロック集合体。
ここで、第１の線状材と第２の線状材の交点とは、両線状材が接触して交わる場合に限らず、接触していないが投影図において交わる場合も含むものである。
【発明の効果】
【０００８】
本発明のブロック集合体は、（１）今までに見られなかった構造的、装飾的形態であり、看者に良い印象（趣味感）を与える効果がある。（２）各ブロックの貫通孔に紐等を挿通し連なり合って拡がりをもつようにされているので、体に触れたときや見たときに適度のたわみの可能性が感得され、一体的に固着・固定されたものとは異なる特別の趣味感を与える効果がある。（３）また、四角形の各ブロックの両対角線方向に設けた貫通孔に紐等を挿通して縫い連ねるようにしたときには、ブロック同士は角の部分で連接すると共にブロック間の四角の隙間が一つ置きに現れるので、あたかもブロックのネットであるかのような趣味感を与える効果がある。（４）さらに、ブロックと隙間との対比が好ましい印象を与える。（５）四角形のブロックの縦横の比を変えると、ブロックはもちろん隙間も形状が変わるので、異なった印象（趣味感）を与える。（６）さらにまた、使用するブロックの数を増減すれば、使用する物や場所に応じて、ブロック集合体の大きさや形を加減・調節することができる。
【実施例１】
【０００９】
図１において、１０は枠体であり、その内側には多数のブロック１２からなるブロック集合体１４が配置されている。枠体１０には横方向に各段毎に折り返して張設された第１の線状材としての紐１６と、縦方向に各列毎に折り返して張設された第２の線状材としての紐１８とが、多数のブロック１２の貫通孔に縦横に挿通され、紐１６と紐１８の交点にそれぞれブロック１２が位置するようにされている。
【００１０】
ブロック１２は、図２に示すように縦、横の長さが同じ正方形で所定高さの直方体であり、高さの中間部において両対角線方向に貫通孔２０，２２が形成され、紐１６、１８を挿通し得るようにされている。貫通孔２０，２２は図２（ロ）にし示すようにブロック上面から見れば交差しているように見えるが、直接干渉しないように上下にずらして設けられている。この場合両貫通孔の交点における上下のずれは、挿通された紐１６，１８の外側同士が接触する程度でも差し支えない。紐挿通時に紐の中心部付近同士が干渉しないので挿通し易い利点がある。なお、紐同士が交わる際の挿通し難さの点と紐との隙間が大きくなる点で難点があるが、貫通孔を大き目にして、両貫通孔を同じ高さ位置に交差するようにし設けてもよい。ブロック１２は木で構成されているので、見た目や体への当たりが和やらくて趣味感に優れているが。ブラスチック等他の材質のものを使用することも可能である。
【００１１】
また、ブロック１２は各稜線部が面取りがされている。面取りは、ささくれやばりをなくし、優美な感じを与えるが、貫通孔２０，２２の開口部が位置する稜線部は特に必須である。これは、貫通孔の入り口部分を平坦にして孔明けを容易にすると共に、ブロックの組み付け時に隣接するブロック同士の隙間をなくすか、あるいはできるだけ少なくし、隙間から紐１６，１８が見えるのを隠す効果がある。ブロック集合体１４はブロック１２の数を縦方向、横方向あるいは両方向に加減することによって大きさを適宜変えることができる。もちろん、枠体１０の大きさは変えることが必要である。
【００１２】
図３（イ）、（ロ）はブロック１２の変形例として、ドリル等を使用しないで貫通孔を設けることを可能にした部品を示す。すなわち、高さがブロック１２の高さの半分であるハーフブロック２４、２６の端面にそれぞれ対角線方向に溝２８，３０を設けたものである。両ハーフブロックの端面同士を溝が交差する方向に接着すれば、貫通孔が交差したブロックが完成する。
【００１３】
図４は椅子３２の背もたれ部に前記ブロック集合体１４のように構成したブロック集合体３３を配置した例を示す。前記枠体１０の代わりに背もたれ部の両側の部材と上下の部材を利用している。
【００１４】
図５（イ）〜（ホ）は間仕切３４，欄間３６，衝立３８，４０，腰板障子４２に、それぞれ前記実施例同様に構成したブロック集合体４４，４６，４８，５０、５２を配置した例を示す。いずれも上下両側の部材を枠体代わりに使用している。もちろん、枠体付きのブロック集合体を嵌め込んで取り付ける事も可能である。
いずれも木のブロックで、しかも紐で縫い連ねたネット状のブロック集合体を使用しているので、ブロック集合体のブロックとその隙間（空間部）との対比は見る者に良い感じを与え、また紐で縫い連ねているので体に触れたとき、剛体や固体に触れたときと異なるなごやかさを感じさせ、さらに木質のブロックは手で触れたときはもちろん、見た目にも優しいので、これらが相まって今までにないような心地よい趣味感を感じさせる効果がある。
【実施例２】
【００１５】
図６，図７は本発明の他の実施例を示す模式的説明図（概念図）である。細かく斜線を描いた部分はブロックを示す。前記実施例と構成が同じで変更を要しない部分は説明を省略する。図６に示すブロック集合体５４は、横方向の紐５６の間隔より縦方向の紐５８の間隔を廣くすると共にブロック６０を横長の菱形にしたものである。図７に示すブロック集合体６４は、逆に横方向の紐６６の間隔より縦方向の紐６８の間隔を狭くすると共にブロック７０を縦長の菱形にしたものである。両者共に見る者に前記実施例と同様な趣味感を与えるが、どちらかといえば、前者は安定感を、後者はスマートな感じを与える。
【実施例３】
【００１６】
図８，図９は本発明のさらに他の実施例を示す模式的説明図（概念図）である。細かく斜線を描いた部分はブロックを示す。前記実施例と構成が同じで変更を要しない部分は説明を省略する。図８に示すブロック集合体７２は、所定間隔で右下がりに傾斜した紐７４と、間隔と傾斜角が紐７４と同じで傾斜方向が逆向きの右上がりである、紐７６との交点に横長の直方体のブロック７８が配置されている。図９に示すブロック集合体８０は、右下がりに傾斜した紐８２と右上がりに傾斜した紐８４との交点に直方体のブロック８６を配置した点では図８のブロック集合体７２と同様であるが、紐８２，８４の傾斜角がさらに大きくなっている点、ブロック８６は縦長の直方体である点が異なっている。なお、各ブロック７８，８６の紐（線状材）を挿通するための貫通孔は，各ブロックの高さの中間部において両対角線方向に形成されている。
【００１７】
前記各実施例では、ブロックは木製であるが、これに代えて成形性を有する材質のもの、例えば合成樹脂、ゴム、金属等を使用することも可能である。また、紐に代えて屈曲自在な線状材、例えば糸、ナイロン糸、可撓性のあるワイヤーや針金等を使用することも可能である。さらに、ブロック集合体を撓ませることが必要でない場合、例えば手の届かないところに設ける欄間等においては、紐等に代えて剛性のある針金等を使用することもできる。
以上本発明の実施例を説明したが、本発明はこのような実施例に何ら限定されるものではなく、本発明の要旨を変更しない範囲において種々なる実施をし得ることはもちろんである。
【産業上の利用可能性】
【００１８】
本発明のブロック集合体は、例えば建具（腰付き障子、ふすま等）や間仕切、衝立、屏風、欄間、椅子等の部分装飾材として、また壁掛け、花瓶敷き、その他の器物の敷物台などとしてインテリアに好適に使用できる。また、ブロック集合体の周りに枠体を設けないで、ブロックに挿通するための、横方向に各段毎に折り返して張設された第１の線状材を、隣接する各折り返し点で紐等で結び、かつ、縦方向に各列毎に折り返して張設された第２の線状材を、隣接する各折り返し点で紐等で結んで、ブロック集合体の形を保持できるようにすれば、可撓性があり、例えば花壇のまわりに敷くなどすれば、飾りにもなり、履き物が汚れない等の利点がある。このように屋外で使用する、いわゆるイクステリヤとしても好適に使用できる。
【図面の簡単な説明】
【００１９】
【図１】（イ）は本発明の一実施例を示す一部を破断した平面図、（ロ）は（イ）におけるＡ−Ａ断面図である。
【図２】（イ）、（ロ）は同実施例に使用する第１の部品の斜視図と平面図である。
【図３】（イ）、（ロ）は同実施例の第１の部品の変形例を構成する両部材の斜視図である。
【図４】同実施例を家具（椅子）に設けた使用例を示す斜視図である。
【図５】（イ）〜（ホ）は同実施例を室内設備品に設けた使用例を示す説明図である。
【図６】本発明の他の実施例を示す模式的説明図である。
【図７】同実施例の変形例を示す模式的説明図である。
【図８】本発明のさらに他の実施例を示す模式的説明図である。
【図９】同実施例の変形例を示す模式的説明図である。
【符号の説明】
【００２０】
１０  枠体
１２  ブロック
１４  ブロック集合体
１６  紐（第１の線状材）
１８  紐（第２の線状材）
２０  貫通孔
２２  貫通孔
２４、２６  ハーフブロック
２８，３０  溝
４４、４６、４８、５０，５２，５４  ブロック集合体
５６  紐
５８  紐
６０  ブロック
６４  ブロック集合体
６６，６８  紐  
７０  ブロック
７２  ブロック集合体
７４、７６  紐
７８  ブロック
８０  ブロック集合体
８２，８４  紐
８６  ブロック
８８  ブロック集合体
【図１】
0005107699.tif 000002
【図２】
0005107699.tif 000003
【図３】
0005107699.tif 000004
【図４】
0005107699.tif 000005
【図５】
0005107699.tif 000006
【図６】
0005107699.tif 000007
【図７】
0005107699.tif 000008
【図８】
0005107699.tif 000009
【図９】
0005107699.tif 000010